(57)【要約】【課題】メイン画面の大型化が予想されるが、従来のようなサブ画面の配置では持ち手を替える必要がある。【解決手段】第１の表示部を有する第１の筐体と、前記第１の表示部の表示内容を操作するための操作入力キーを有する第２の筐体とを有し、前記第１の筐体と前記第２の筐体が接続部を介して折畳み可能に接続され、前記第２の筐体において、更に、前記操作部の背面に第２の表示部が備えられたことを特徴とする携帯電話を提供する。【選択図】図２
2005191832.tif 000002
【特許請求の範囲】
【請求項１】
第１の表示部を有する第１の筐体と、前記第１の表示部の表示内容を操作するための操作入力キーを有する第２の筐体とを有し、
前記第１の筐体と前記第２の筐体が接続部を介して折畳み可能に接続され、
前記第２の筐体において、更に、前記操作部の背面に第２の表示部が備えられたことを特徴とする携帯電話。
【請求項２】
請求項１において、
前記第１の表示部の表示面積は、前記第２の表示部の表示面積より大きいことを特徴とする携帯電話。
【請求項３】
請求項１において、
更に、前記第１の筐体と前記第２の筐体が折畳み状態にあるかを検知する折畳み検知部と、
前記第１および第２の表示部の表示内容を制御する制御部を有し、
前記制御部は、通話が終了したとき前記折畳み検知部により折畳み状態が検知されるかを判定し、前記折畳み検知部により折畳み状態が検知される場合、前記通話の終了時に表示する通話情報を前記第２の表示部に表示し、前記折畳み検知部により折畳み状態が検知されない場合前記通話情報を前記第１の表示部に表示することを特徴とする携帯電話。
【発明の詳細な説明】
【技術分野】
【０００１】
本発明は、第１および第２の表示部が異なる筐体に配置された携帯電話に関する。
【背景技術】
【０００２】
現在、携帯電話（PHS(Personal Handyphone System)を含む）にとって、液晶画面等の表示部が欠かせないものとなっている。なぜなら、ユーザが電話（テレビ電話を含む）をし、スケジュール帳やアドレス帳を読み出して内容を確認し、メニューを呼び出して各種設定を行い、メールを読み書きし、ウェブコンテンツを閲覧し、静止画・動画を観賞するといった各種操作を行う際のインタフェースとなっているからである。
【０００３】
また、特許文献１に見られるように、近年の携帯電話の多くは、上述した用途に使用する第１の表示部に加え、第２の表示部を第１の表示部の背面に備えた折畳み型である。第２の表示部には、電池の残量レベル、電波受信状態、日時、マナーモード（着信を音以外の手段（振動、発光等）で通知するモード）の設定状態を示すアイコン、アラーム設定状態を示すアイコン、応答できなかった着信（電話、電子メール、ファクシミリ等）の存在を示すアイコン、伝言メモ（留守番電話に残されたメッセージ）の存在を示すアイコン、インターネット接続状態であることを示すアイコン等のいわゆるステータス情報や通話（通信）時間、通話（通信）料金等のいわゆる通話（通信）情報などが表示される。こうして、利用者は携帯電話が折畳まれた状態でも、着信の有無等を確認することができ、第２の表示部は携帯電話の利便性を向上させている。
【０００４】
以上のように、携帯電話は第１、第２の表示部を備えているものが主流である。そして今後、高速通信可能な次世代携帯電話が普及するにつれ、携帯電話はテレビ電話用端末あるいは映画、テレビ番組等の動画の視聴端末として主に使用され、表示部（特に第１の表示部）が大型化することが予想される。図１は、第１の表示部が大型化された携帯電話を示す図であり、図１Ａは正面図、図１Ｂは背面図である。図１Ａに示されるように、第１の表示部３が大型化された結果、第１の表示部３が設けられた筐体１の重量が増し、操作入力キー１２が配置された筐体２を把持しても携帯電話全体を支持できないため、筐体２ではなく筐体１を把持することになると思われる。
【特許文献１】特開２００２−２８１１３０号公報
【発明の開示】
【発明が解決しようとする課題】
【０００５】
しかしながら、従来例のように、第２の表示部が第１の表示部の背面に設置されていると、図１Ｂに示されるように第１の表示部が設けられた筐体を把持する手が第２の表示部４を覆うことになり、終話後に通話時間や料金等が表示される第２の表示部４を確認するには、持ち手を替える必要が生じる。携帯電話の使用に際し、利用者に持ち手の変更という余分な工程を課すことは好ましいことではなく、この事が、商品の選択にあたり、他の携帯電話の購入を助長することにもなりかねない。
【０００６】
そこで本発明の目的は、将来の用途に合わせ第１の表示部を大型化しても、終話後に持ち手を替えることなく第２の表示部の確認が可能な携帯電話を提供することにある。
【課題を解決するための手段】
【０００７】
上記目的は、本発明の第一の態様として、第１の表示部を有する第１の筐体と、前記第１の表示部の表示内容を操作するための操作入力キーを有する第２の筐体とを有し、前記第１の筐体と前記第２の筐体が接続部を介して折畳み可能に接続され、前記第２の筐体において、更に、前記操作部の背面に第２の表示部が備えられたことを特徴とする携帯電話を提供することにより達成される。
【０００８】
また上記目的は、本発明の第二の態様として、第一の態様において、前記第１の表示部の表示面積は、前記第２の表示部の表示面積より大きいことを特徴とする携帯電話を提供することにより達成される。
【０００９】
また上記目的は、本発明の第三の態様として、第一の態様において、更に、前記第１の筐体と前記第２の筐体が折畳み状態にあるかを検知する折畳み検知部と、前記第１および第２の表示部の表示内容を制御する制御部を有し、前記制御部は、通話が終了したとき前記折畳み検知部により折畳み状態が検知されるかを判定し、前記折畳み検知部により折畳み状態が検知される場合、前記通話の終了時に表示する通話情報を前記第２の表示部に表示し、前記折畳み検知部により折畳み状態が検知されない場合前記通話情報を前記第１の表示部に表示することを特徴とする携帯電話を提供することにより達成される。
【発明の効果】
【００１０】
本発明によれば、利用者は、大画面でテレビ電話を使用する、大画面で映画やテレビ番組の視聴をする、文字を見やすくするためフォントサイズを大きく表示する等の大型化された第１の表示部（メイン画面）を備えていることによりもたらされる第１の利点と、持ち手を替えることなく第２の表示部（サブ画面）を確認できる第２の利点を同時に享受することができる。
【発明を実施するための最良の形態】
【００１１】
以下、本発明の実施の形態について図面に従って説明する。しかしながら、本発明の技術的範囲はかかる実施の形態に限定されるものではなく、特許請求の範囲に記載された発明とその均等物にまで及ぶものである。
【００１２】
図２は、本発明の実施形態における携帯電話（PHS(Personal Handyphone System)を含む）の外観図であり、折畳み状態を示す図である。図２Ａは側面図であり、図２Ｂは正面図であり、図２Ｃは背面図である。図２Ａに示されるように、第１の筐体１は一部が切り欠けられ、その切り欠けに合わせて第２の筐体２を収納することで、折畳み状態での携帯電話の厚みを抑えている。
【００１３】
使用前、図２のように折畳み状態にある携帯電話において、第２の筐体２を矢印方向２０に回転させることで、携帯電話は折畳み状態が解かれ、利用者は携帯電話を使用することができる。使用が済むと、利用者は矢印方向２１へ第２の筐体２を回転させ、携帯電話を再び折畳み状態にすることができる。折畳み状態の携帯電話は、小さな空間に収容することができるので、携帯に便利であり、非使用時は折畳み状態の方が都合がよい。
【００１４】
そして、折畳み状態で、第２の筐体２の背面に備えられたサブ画面４が利用者の視界に入る。従って、終話あるいは通信終了後、第２の筐体２を矢印方向２１に回転させると、利用者は終話あるいは通信終了時に表示される通話（通信）時間、通話（通信）料金等のいわゆる通話（通信）情報をサブ画面４で確認することができる。しかも、図１Ａに示されるように第１の筐体１が把持されていても、利用者は持ち手を替えることなくサブ画面４の確認ができる。
【００１５】
サブ画面４の表示内容を操作するためのボタン９が第２の筐体２には備えられているが、ボタン９によってメイン画面の表示内容が操作されることはなく、従ってボタン９はメイン画面の表示内容を操作するための操作入力キーとは異なるものである。ここで、メイン画面は、利用者が携帯電話の使用にあたり主に使用する表示部であり、図１Ａにおいて、第１の筐体の、第２の筐体を矢印方向２０に回転させると現れる位置（メイン画面３）に配置されている。また、サブ画面４には、待ち受け画面や、電池の残量レベル、電波受信状態、日時、マナーモード（着信を音以外の手段（振動、発光等）で通知するモード）の設定状態を示すアイコン、アラーム設定状態を示すアイコン、応答できなかった着信（電話、電子メール、ファクシミリ等）の存在を示すアイコン、伝言メモ（留守番電話に残されたメッセージ）の存在を示すアイコン、インターネット接続状態であることを示すアイコン等のいわゆるステータス情報が表示されても構わない。
【００１６】
図２Ｃには、第１の筐体１の背面に設けられた写真撮影用カメラ１１が描かれている。携帯電話には、他にテレビ電話使用時に相手端末に送信するために自分の顔を撮影するカメラ６が設けられているが、カメラ６の他に写真撮影用カメラ１１が設けられているのは、テレビ電話用に自分を写すカメラ６と異なり、周りの景色や人物を撮影するには外側を向いている方が使用しやすいためである。
【００１７】
本発明においては、サブ画面４の配置が問題となるが、それを説明するために続いて、携帯電話の折畳み状態を解いた、つまりオープン状態（開状態）にある携帯電話を説明をする。
【００１８】
図３は、本発明の実施形態における携帯電話（PHSを含む）の外観図であり、折畳み状態が解かれた、オープン状態を示す図である。図３Ａは側面図であり、図３Ｂは正面図である。図３Ａに示されるように、第１の筐体１と第２の筐体２がヒンジ８を介して接続され、図３では下に開いた状態にある第２の筐体を第１の筐体側にヒンジ８を介して矢印方向２１へ回転させると折畳むことができる。
【００１９】
第２の筐体２には、メイン画面３に表示される携帯電話操作用メニューを選択する際や発信時の電話番号あるいは電子メールアドレス等の入力の際に利用者からの指示内容を入力するのに使用される操作入力キー１２が、メイン画面３を見ながら操作ができるように配置されている。操作入力キー１２には、矢印キー、電源キー、通話開始キー、ダイアル番号キー等が含まれる。そして、複数の操作入力キー１２により操作部１０が形成されている。
【００２０】
本発明の実施形態の携帯電話においては、第２の筐体２が、操作部１０の背面に、サブ画面４を備えていることを特徴としている。図３Ａに示されるように、操作部１０は携帯電話を開いた状態で、操作入力キーに印字された文字（ダイヤル用の数字やボタン記号等）が外側を向くように配置され、サブ画面４も携帯電話を開いた状態で表示面が外側を向くように配置される。そして、両者は、互いに第２の筐体の反対する面に配置される、という特徴を持つ。更に、サブ画面４は、図２で説明したように、携帯電話を折畳んだ状態で、利用者が視認することができるものである。
【００２１】
こうして、操作部１０とサブ画面４が第２の筐体２において、互いに反対する面に配置され、更に、折畳み状態でもサブ画面が確認できることにより、利用者は、例えば、大きいメイン画面３でテレビ電話による通話等を楽しんだ後、携帯電話を折畳み、持ち手を替えることなく通話情報等をサブ画面４で確認することができ、大変便利である。
【００２２】
図３における、他の箇所についても説明しておく。第１の筐体１に備えられたメイン画面３には、携帯電話を操作するためのメニューが表示され、選択されたメニューに対応するコンテンツが表示される。コンテンツの一例としては、電子メール、ウェブコンテンツ、静止画、動画、携帯電話の設定変更画面等があり、図３Ｂには一例として、テレビ電話使用時の通信先端末が撮影する動画（通信相手の顔）がメイン画面３に表示されている。
【００２３】
本実施形態においては、従来よりも大きなメイン画面３でこれらのコンテンツを閲覧することが可能となっている。また、メイン画面３に表示されるフォントサイズを大きくすれば、文字が見やすくなる。メイン画面３が大型化されたため、フォントサイズを大きくしても表示される文字数が従来よりも増え、ユーザフレンドリーである。また、メイン画面３には、電話や電子メール等の発着信時には、発信相手の情報（電話番号や電子メールアドレス）が表示され、他にもステータス情報１３や操作入力キー１２に割り当てられた機能を示すガイダンス情報１４が表示される。
【００２４】
本実施形態における携帯電話には、更に、スピーカ５、テレビ電話使用時に自端末からの映像（自分の顔）を撮影するカメラ６、マイク７、通信用アンテナ（図示せず）が設けられ、音声のみによる通話及び音声と映像を使用するテレビ電話機能による通話、ウェブコンテンツの受信、電子メールの送受信等が行える。
【００２５】
図４は、本実施形態の携帯電話（PHSを含む）の構成例を示すブロック図である。本実施形態の携帯電話は、アンテナ３１、送受信処理部３２、スピーカ５、マイク７、制御部３３、メモリ３４、メイン画面３、サブ画面４、折畳み検知部３５、カメラ６（１１）、操作部１０を備えている。
【００２６】
アンテナ３１は、基地局と無線電波の送受信を行う。送受信処理部３２は、マイク７を介して入力される送信用音声や操作部１０を介して入力されるデータを変調してアンテナ３１に出力し、アンテナ３１から受信した電波を復調してスピーカ５に出力する。
【００２７】
制御部３３には、送受信処理部３２、メイン画面３、サブ画面４、折畳み検知部３５、カメラ６（１１）、操作部１０、メモリ３４を制御するCPUと制御に必要な情報が格納されたROMが含まれる。メイン画面３、サブ画面４は例えば液晶ディスプレイ等の表示装置であり、携帯電話に関するさまざまな情報が表示される。メモリ３４には、制御部３３が使用する作業データや着信履歴を表示するための着信情報等が格納される。折畳み検知部３５は、光センサや磁石、ヒンジの角度等を利用して折畳み状態かオープン状態か、そして状態の変化を検知する手段である。サブ画面４の表示内容の制御は、制御部３３により行われるが、次にその制御動作の例を説明する。
【００２８】
図５は、本実施形態の携帯電話（PHSを含む）における、サブ画面４の表示内容の制御動作例を説明するフローチャートである。このフローの開始時には、携帯電話は、図２の折畳み状態にあるものとし、音声による電話機能が使用される場合の例である。折畳み状態において、サブ画面４には、ステータス情報１３が表示される（Ｓ１）。そして、折畳み検知部３５が、折畳み状態から図３のオープン状態に変化したことを検知すると（Ｓ２Ｙｅｓ）、携帯電話が使用されると判断し、制御部３３はROMに格納されたメニューをメイン画面３に表示する。
【００２９】
オープン状態に変化したことが検知されない場合（Ｓ２Ｎｏ）、まだ携帯電話は使用されておらず、ステップＳ１に戻る。次に、利用者によりメニューから電話が選択され、通話が開始される（Ｓ４）。そして、制御部３３は、通話が終了したことを検知すると（Ｓ５Ｙｅｓ）、折畳み状態にあるかを判定する（Ｓ６）。ステップＳ５における、通話の終了の検出は、操作入力キーに含まれる終話キーが押されたことを検出すればよい。
【００３０】
そして、終話時に折畳み状態にある場合（Ｓ６Ｙｅｓ）、制御部３３はサブ画面４に通話情報を表示し（Ｓ７）、ステップＳ１に戻る。ステップＳ６で終話時に折畳み状態にある場合というのは、例えば、オープン状態から折畳み状態に変化させることで終話とみなされる機能を持つ携帯電話で起こる。終話時にオープン状態にある場合（Ｓ６Ｎｏ）には、制御部３３はメイン画面３に通話情報を表示し（Ｓ８）、その後ステップＳ３に戻る。なお、画面に情報が表示される各ステップ（Ｓ１、Ｓ３、Ｓ７、Ｓ８）では、省電力化のため所定時間経過後、制御部３３が所定の待ち受け画面に表示を変えるよう制御してもよい。
【００３１】
また、図６は、本発明の別の実施形態の携帯電話（PHSを含む）の外観図である。図６Ａは、折畳み状態の携帯電話を示す。矢印方向６１に回動可能な接続部６３を介して第１の筐体１と第２の筐体２が接続され、図６Ａでは折畳み状態で第２の筐体２に備えられたサブ画面４が視認可能な状態で折畳まれている。
【００３２】
図６Ｂは、第２の筐体２を矢印方向６１に回動させ、携帯電話を開いた状態を示す図である。携帯電話を開いた状態では、第２の筐体２に配置された操作入力キー１２を確認することができる。そして、複数の操作入力キー１２により操作部１０が形成されている。また第１の筐体１と第２の筐体２は、更に、矢印方向６２に回動可能な接続部６４を介して接続されている。
【００３３】
図６Ｃ〜図６Ｅは、第２の筐体２を矢印方向６２に回動させていく様子を示す図である。第２の筐体２を矢印方向６２に回動させていくと、やがて第２の筐体２において操作部１０の背面に配置されたサブ画面４が視認できるようになる様子が描かれている。
【００３４】
図６の携帯電話を使用すれば、折畳み状態でも、開いた状態でもサブ画面４を確認することができる。また、その際第１の筐体１を把持する持ち手と別の手で第２の筐体２を回動させることができ、やはり第１の筐体１を把持する持ち手を替えることなく、サブ画面４を確認することが可能となっている。
【００３５】
以上より、本発明の携帯電話（PHSを含む）によれば、利用者は、大画面でテレビ電話を使用する、大画面で映画やテレビ番組の視聴をする、文字を見やすくするためフォントサイズを大きく表示する等の大型化された第１の表示部（メイン画面）を備えていることによりもたらされる第１の利点と、持ち手を替えることなく第２の表示部（サブ画面）を確認できる第２の利点を同時に享受することができる。
【図面の簡単な説明】
【００３６】
【図１】第１の表示部が大型化された携帯電話を示す図である。
【図２】本発明の実施形態における携帯電話のオープン状態を示す外観図であり、Ａは側面図、Ｂは正面図である。
【図３】本発明の実施形態における携帯電話の折畳み状態を示す外観図であり、Ａは側面図、Ｂは正面図、Ｃは背面図である。
【図４】本実施形態の携帯電話の構成例を示すブロック図である。
【図５】本実施形態の携帯電話における、サブ画面の表示内容の制御動作例を説明するフローチャートである。
【図６】本発明の別の実施形態における携帯電話の外観図である。
【符号の説明】
【００３７】
１  第１の筐体、２  第２の筐体、３  メイン画面（第１の表示部）、４  サブ画面（第２の表示部）、５  スピーカ、６  カメラ、７  マイク、８  ヒンジ（接続部）、９  ボタン、１０  操作部、１１  カメラ、１２  操作入力キー、３２  送受信処理部、３３  制御部、３４  メモリ、３５  折畳み検知部
【図１】
2005191832.tif 000003
【図２】
2005191832.tif 000004
【図３】
2005191832.tif 000005
【図４】
2005191832.tif 000006
【図５】
2005191832.tif 000007
【図６】
2005191832.tif 000008